(57)【特許請求の範囲】
【請求項１】
テレビジョン放送信号と緊急告知信号とを含む高周波情報信号で変調された光信号を受ける光端子と、
この光端子で受けた前記光信号を、給電時に変換高周波情報信号に変換する光−電気変換手段と、
この光−電気変換手段からの前記変換高周波情報信号を出力する電気信号端子と、
前記緊急告知信号を出力する緊急告知信号出力端子とを、
有し、前記光−電気変換手段は、無給電時に前記緊急告知信号を出力するようにも構成され、前記緊急告知信号出力端子には、前記給電時には前記光電気変換手段から前記変換高周波信号が切換手段を介して供給され、前記無給電時には切り換えられた前記切換手段を介して前記緊急告知信号が前記光−電気変換手段から出力可能とされ、
筐体内に前記光−電気変換手段と前記切換手段が設けられ、
前記光信号が供給される光アダプタを備える壁面端子の第１の面に面接触する第２の面と、第２の面と反対側の第３の面とを、前記筐体が有し、第１及び第２の面が面接触している状態において、前記光アダプタに前記光端子が接続するように、第２の面から前記光端子を第１の面側に突出させ、第３の面に前記電気信号出力端子と前記緊急告知信号出力端子とが設けられた光受信機。
【請求項２】
テレビジョン放送信号と緊急告知信号とを含む高周波情報信号で変調された光信号を受ける光端子と、
この光端子で受けた前記光信号を、給電時に変換高周波情報信号に変換する光−電気変換手段と、
前記光−電気変換手段に対する電源部と、
前記光−電気変換手段からの前記変換高周波情報信号を出力する電気信号端子と、
前記緊急告知信号を出力する緊急告知信号出力端子とを、
有し、前記光−電気変換手段は、無給電時に前記緊急告知信号を出力するようにも構成され、前記緊急告知信号出力端子には、前記給電時には前記光電気変換手段から前記変換高周波信号が切換手段を介して供給され、前記無給電時には切り換えられた前記切換手段を介して前記緊急告知信号が前記光−電気変換手段から出力可能とされ、
筐体内に前記光−電気変換手段と前記切換手段と前記電源部とが設けられ、
前記光信号が供給される光アダプタと、電源コンセントとを備える壁面端子の第１の面に面接触する第２の面と、第２の面と反対側の第３の面とを、前記筐体が有し、第１及び第２の面が面接触している状態において、前記光アダプタに前記光端子が接続し、前記電源部に接続されている電源プラグが前記電源コンセントに接続されるように、第２の面から前記光端子及び前記電源プラグを第１の面側に突出させ、第３の面に前記電気信号出力端子と前記緊急告知信号出力端子とが設けられた光受信機。
【請求項３】
請求項１または２記載の光受信機において、前記筐体には、双方向通信用の送信信号及び受信信号用端子と、この端子から供給された送信信号を光送信信号に変換して前記光端子に供給する電気−光変換手段と、前記光端子から供給された光受信信号を前記双方向通信用の受信信号に変換して前記送信信号及び受信信号用端子に供給する光−電気変換手段とを、備える光送受信機。
【発明の詳細な説明】
【技術分野】
【０００１】
本発明は、光信号を受信して、電気信号に変換する光受信機に関し、特に屋内に配置するものに関する。
【背景技術】
【０００２】
従来、屋内に配置する光受信機としては、例えば特許文献１に開示されているようなものがある。この光受信機は、筐体内に光ケーブルを引き込み、光ケーブルによって伝送された光信号を光受信部によって高周波信号に変換し、筐体内に設けた出力端子を介してセットトップボックスやテレビ受信機に供給する。筐体は、家屋内の壁面に取り付けられている。このような光受信機の他に、卓上等に据え置きされる光受信機もある。
【０００３】
【特許文献１】特開２００５−２５０９４号公報
【発明の開示】
【発明が解決しようとする課題】
【０００４】
特許文献１の技術によれば、光受信機の筐体を家屋の壁面に取り付けなければならず、その設置作業が必要である。その上、光ケーブルを筐体内に引き込んで、光受信部に接続しなければならず、その接続作業も面倒であった。また、据え置きタイプの光受信機においても、光ケーブルを筐体内に引き込んで、光受信部に接続しなければならず、特許文献１の壁面取付の筐体と同様に接続作業が面倒であった。
【０００５】
本発明は、筐体の設置作業と、光信号供給のための接続作業が容易である光受信機を提供することを目的とする。
【課題を解決するための手段】
【０００６】
本発明の一態様の光受信機は、テレビジョン放送信号と緊急告知信号とを含む高周波情報信号で変調された光信号を受ける光端子と、この光端子で受けた前記光信号を、給電時に変換高周波情報信号に変換する光−電気変換手段と、この光−電気変換手段からの前記変換高周波情報信号を出力する電気信号端子と、前記緊急告知信号を出力する緊急告知信号出力端子とを、有している。前記光−電気変換手段は、無給電時に前記緊急告知信号を出力するようにも構成され、前記緊急告知信号出力端子には、前記給電時には前記光電気変換手段から前記変換高周波信号が切換手段を介して供給され、前記無給電時には切り換えられた前記切換手段を介して前記緊急告知信号が前記光−電気変換手段から供給される。筐体内に前記光−電気変換手段と前記切換手段が設けられている。前記光信号が供給される光アダプタを備える壁面端子の第１の面に面接触する第２の面と、第２の面と反対側の第３の面とを、前記筐体が有し、第１及び第２の面が面接触している状態において、前記光アダプタに前記光端子が接続するように、第２の面から前記光端子を第１の面側に突出させ、第３の面に前記電気信号出力端子と前記緊急告知信号出力端子とが設けられている。
【０００７】
このように構成された光受信機では、筐体の第２の面を第１の面に面接触させることによって光端子が、壁面端子にある光アダプタに接続される。従って、壁面端子の光アダプタに接続した光ケーブルを光端子に接続する接続作業が不要になる上に、光受信機の設置も同時に行える。
【０００８】
本発明の他の態様の光受信機は、上記の態様と同様に、筐体に光端子と、光−電気変換手段と、電気信号端子と、緊急告知信号出力端子と、切換手段とを備え、更に前記光−電気変換手段に対する電源部も、備えている。前記筐体は、壁面端子における前記光信号が供給する光アダプタと、電源コンセントとを備える第１の面に面接触する第２の面と、第２の面と反対側の第３の面とを有している。第２の面は、第１の面とほぼ同じ大きさである。第１及び第２の面が面接触している状態において、前記光アダプタに前記光端子が接続し、前記電源部に接続されている電源プラグが前記電源コンセントに接続されるように、第２の面から前記光端子及び前記電源プラグを第１の面側に突出させ、第３の面に前記電気信号出力端子と前記緊急告知信号出力端子とが設けられている。
【０００９】
この態様の光受信機でも、上記の態様の光受信機と同様に筐体の設置作業と光信号供給のための接続作業が同時に行える。しかも、壁面端子の電源コンセントに電源プラグを接続して、電源部を作動させているので、電源部へ商用交流電力を供給するためのプラグ付きの電源コードを筐体から引き出す必要がなく、設置スペースを小さくすることができる上に、電源コードを壁面の電源コンセントに接続する作業も不要になる。
【００１２】
上記各態様のいずれかにおいて、前記筐体には、双方向通信用の送信信号及び受信信号用端子と、この端子から供給された送信信号を光送信信号に変換して前記光端子に供給する電気−光変換手段と、前記光端子から供給された光受信信号を前記双方向通信用の受信信号に変換して前記送信信号及び受信信号用端子に供給する光−電気変換手段とを、備えて光送受信機とすることもできる。
【００１３】
このように構成することによって、光信号を用いた双方向通信も、この光送受信機によって行うことができる。
【発明の効果】
【００１４】
以上のように、本発明によれば、光受信機の筐体の設置作業と光信号供給用の接続作業とを同時に行うことができ、光受信機の設置作業を非常に簡易化することができる。
【発明を実施するための最良の形態】
【００１５】
本発明の第１の実施形態の光受信機は、図１に示すように、家屋の壁面に設けられている壁面端子２と共に使用される。壁面端子２は、壁面４から僅かに突出している矩形状のプレート６を有している。第１の面、例えばこのプレート６の主面７に、光アダプタ８が図２（ａ）に示すように設けられている。この光アダプタ８には、光ファイバー（図示せず）が接続されており、高周波情報信号、例えばテレビジョン放送信号とＦＭ放送信号とで変調された光信号が上記光ファイバーを介して伝送されている。なお、緊急告知する必要のある事態が生じた場合には、高周波情報信号として緊急告知信号も使用され、その場合には、テレビジョン放送信号とＦＭ放送信号と緊急告知信号とで変調された光信号が光アダプタ８に供給される。インターネット等のデータ通信用の光信号も、光ファイバーを介して光アダプタ８を介して送受されている。
【００１６】
第１の実施形態の光受信機は、筐体１０を有している。この筐体１０は、概略直方体状に構成され、第２の面、例えば筐体１０の１つの面１０ａは、プレート６の主面７とほぼ同じ大きさ、例えば、僅かにその長さ及び幅寸法が短く形成されている以外、同じ大きさに形成されている。この筐体１０の面１０ａは、プレート６の主面７と面接触可能に構成されている。
【００１７】
筐体１０の面１０ａをプレート６の主面７に面接触させた状態において、光アダプタ８と接続可能に、面１０ａには光端子１２が面１０ａから外方に突出している。この光端子１２は、光アダプタ８に接続された状態で、筐体１０の重量を支えられるように、例えば金属製の剛性の大きいものとすることが望ましい。
【００１８】
筐体１０における面１０ａと反対側の面１０ｂには、図２（ｂ）に示すように、電気端子、例えばテレビジョン放送及びＦＭ放送用の出力接栓１４と、ＦＭ放送及び緊急放送用の出力接栓１６とが並んで配置されている。これら出力接栓１４、１６の上方に、データ通信用の端子、例えばＬＡＮポート１８が設けられている。
【００１９】
この光受信機では、図３に示すような回路が筐体１０内に設けられている。即ち、光受信機は、光−電気変換手段、例えばフォトダイオード回路２０を有している。フォトダイオード回路２０は、光端子１２から供給された光信号を変換高周波情報信号に変換する。変換高周波情報信号中のテレビジョン放送信号及びＦＭ放送信号は、縦続接続された増幅器２２、２４によって増幅された後、テレビジョン放送及びＦＭ放送用の出力接栓１４に供給されている。
【００２０】
増幅器２２、２４の間には、分岐手段、例えば１分岐器２６が設けられており、それの分岐端子から分岐されたテレビジョン放送及びＦＭ放送信号は、切換スイッチ２８の一方の接点２８ａに供給されている。切換スイッチ２８は、接点２８ａの他に、接点２８ｂと、接点２８ａ、２８ｂの一方に接続される接触子２８ｃとを有し、接触子２８ｃがＦＭ放送及び緊急放送用の出力接栓１６に接続されている。緊急告知信号もＦＭ信号であるので、出力接栓１６にＦＭ受信機を接続しておくことで、緊急告知やＦＭ放送を聴取できる。フォトダイオード回路２０は無給電の状態でも、緊急告知信号とＦＭ放送信号とを出力可能に構成され、その出力が接点２８ｂに出力される。切換スイッチ２８の接触子２８ｃは、通常には接点２８ａ側に切り換えられており、緊急告知信号及びＦＭ放送信号は出力接栓１６に生じている。電源部３４からの電源供給が絶たれた場合、例えば地震等の緊急事態によって停電したような場合、切換スイッチ２８の接触子２８ｃが自動的に接点２８ｂ側に切り換えられ、緊急告知信号やＦＭ放送信号が出力接栓１６に生じる。従って、緊急告知やＦＭ放送を停電時にも聴取できる。
【００２１】
この他に、ＬＡＮポート１８に接続された通信部３０が筐体１０内に設けられている。通信部３０は、ＬＡＮポート１８に接続された通信端末機、例えばパーソナルコンピュータから送信されてくる送信信号を受けて、光−電気変換手段兼電気−光変換手段、例えばＰＤ／ＬＤ回路３２に伝送し、ここで光信号を送信信号で変調して、送信光信号を発生し、これを光端子１２に供給し、例えばプロバイダーへ伝送する。また、プロバイダーからの受信光信号は、光端子からＰＤ／ＬＤ回路３２に供給され、ここで受信信号に変換され、通信部３０、ＬＡＮポート１８を介してパーソナルコンピュータに供給される。
【００２２】
また、筐体１０内の外部には、ＰＤ回路２０、増幅器２２、２４、通信部３０、ＰＤ／ＬＤ回路３２への動作電力を供給する電源部３４が設けられている。電源部３４は、図１に示すように、プラグ３４ａを室内の電源コンセントに接続することによって、電源部３４は商用交流電源に接続され、これを直流化する。直流化された動作電力は、ケーブル３６を介して上述した各回路に供給される。
【００２３】
このように構成された光受信機では、筐体１０の面１０ａがプレート６の主面７に面接触し、かつ光端子１２が光アダプタ８に接続されるようにする。これによって、筐体１０の設置と、光端子１２の光アダプタ８への接続とが、同時に行われる。その後、出力接栓１４をテレビジョン受信機に接続し、出力接栓１６をＦＭ受信機に接続し、ＬＡＮポート１８をパーソナルコンピュータに接続する。また電源部３４のプラグ３４ａを室内の電源コンセントに接続することによって、光受信機が動作する。
【００２４】
本発明の第２の実施形態の光受信機は、図５に示すように壁面端子２ａのプレート６ａの主面７ａに、光アダプタ８の下方に、電源コンセント３６が設けられている場合に、対応するものである。筐体１０の主面１０ａの光端子１２の下方に電源プラグ３８が設けられている。そして、主面１０ａをプレート面７ａに面接触させたとき、光アダプタ８に光端子１２が接続されると共に、電源コンセント３６に電源プラグ３８が接続されるように、電源プラグ３８が配置されている。
【００２５】
筐体１０内には、図３に示した電源部３４に相当する電源部が設けられており、これによって、図３の各回路に動作電力が供給される。他の構成は、第１の実施形態の光受信機と同一であるので、詳細な説明は省略する。
【００２６】
本発明の第３の実施形態の光受信機は、図６に示すように、テレビジョン受信機４０から動作電力の供給を受けるものである。即ち、テレビジョン受信機４０はＢＳ／ＣＳデジタルチューナ内蔵のもので、ＵＨＦ帯及びＶＨＦ帯のテレビジョン放送信号の入力端子４０ａの他にＢＳ／ＣＳデジタル放送信号の入力端子４０ｂも有し、これら端子４０ａ、４０ｂのいずれかから＋１５Ｖの直流電圧が出力され、通電型の分配手段、例えば２分配器４２を介して出力接栓１４に接続されている。この＋１５Ｖの直流電圧は、高周波阻止コイル４４を介して増幅器２２、２４、通信部３０、ＰＤ／ＬＤ回路３２に供給され、これらを動作させている。増幅器２２、２４は、ＵＨＦ帯及びＶＨＦ帯のテレビジョン放送信号及びＢＳ／ＣＳデジタル放送信号を増幅可能であり、増幅器２４の出力は、直流阻止コイル４６を介して出力接栓１４に供給され、２分配器４２を介してテレビジョン受信機４０のＵＨＦ帯及びＶＨＦ帯のテレビジョン放送信号の入力端子４０ａ、ＢＳ／ＣＳデジタル放送信号の入力端子４０ｂに供給されている。他の構成は、第１の実施形態の光受信機と同様であるので、詳細な説明は省略する。このように構成すると、筐体１０の内外に第１の実施形態の光受信機の電源部３４に相当するものを設ける必要が無く、光受信機の省スペースでの設置が可能となる。
【００２７】
上記の各実施形態では、ＬＡＮポート１８、通信部３０及びＰＤ／ＬＤ回路３２を設けたが、場合によっては、これらは不要である。また、上記の各実施形態では、緊急告知信号を受信するように出力接栓１６、切換スイッチ２８を設けたが、これらも場合によっては不要である。第１の実施形態では、電源部３４は、電源コード３６を直接に筐体１０内に引き込んだが、電源コードの先端にコネクタを設け、このコネクタに接続可能なコネクタを筐体１０に設け、筐体１０のコネクタから筐体１０内の各回路に動作電力を供給するように構成することもできる。
【図面の簡単な説明】
【００２８】
【図１】本発明の第１の実施形態の光受信機の壁面端子への接続を示す側面図である。
【図２】図１の壁面端子の正面図と、図１の光受信機の背面図である。
【図３】図１の光受信機のブロック図である。
【図４】本発明の第２の実施形態の光受信機の壁面端子への接続を示す側面図である。
【図５】図４の壁面端子の正面図である。
【図６】本発明の第３の実施形態の光受信機のブロック図である。
【符号の説明】
【００２９】
２  壁面端子
８  光アダプタ
７  プレートの主面（第１の面）
１０  筐体
１０ａ  筐体の面（第２の面）
１２  光端子
１４  出力接栓（電気信号端子）
２０  ＰＤ回路（光−電気変換手段）
【図１】
0005214308.tif 000002
【図２】
0005214308.tif 000003
【図３】
0005214308.tif 000004
【図４】
0005214308.tif 000005
【図５】
0005214308.tif 000006
【図６】
0005214308.tif 000007